(57)【特許請求の範囲】
【請求項１】
高圧線と引下用絶縁電線との間に接続される高圧引下線縁線の切断、接続作業、又は前記高圧引下線縁線を前記高圧線に接続する引下線用コネクタの取付け、取外し作業に用いられ、切断された前記高圧引下線縁線の充電部を防護し、絶縁する、又は、取外された前記引下線用コネクタ、及び前記引下線用コネクタが取外された前記高圧線の充電部を防護し、絶縁する間接活線工具であって、
切断された前記高圧引下線縁線の一方の充電部を挿入可能な絶縁材からなるキャップ状の絶縁キャップと、切断された前記高圧引下線縁線の他方の充電部を挿入可能、又は取外された前記引下線用コネクタを収容可能な絶縁材からなる袋状の絶縁袋と、前記引下線用コネクタが取外された前記高圧線の充電部を被覆可能な絶縁材からなるシート状の絶縁カバーと、前記絶縁キャップ及び前記絶縁カバーが取付けられる絶縁材からなる第１クリップと、前記絶縁袋が取付けられる絶縁材からなる第２クリップと、前記第１クリップと前記第２クリップとを分離可能に連結する絶縁材からなる連結部材とを備え、
前記第１クリップと前記第２クリップとを分離した状態で、前記第１クリップを前記高圧線に取付け、前記第２クリップを前記引下用絶縁電線に取付けることを特徴とする間接活線工具。
【請求項２】
前記絶縁キャップの内面には、挿入された前記高圧引下線縁線の抜けを防止するヒダが設けられていることを特徴とする請求項１に記載の間接活線工具。
【請求項３】
前記絶縁カバーの内面には、前記絶縁カバーが前記高圧線の充電部からずれるのを防止する滑り止め部と、前記絶縁カバーの垂れ下がり、及び広がりを防止する滑り止めが設けられていることを特徴とする請求項１又は２に記載の間接活線工具。
【請求項４】
前記絶縁カバーには、前記絶縁カバーを水平状態に保つ芯材が設けられていることを特徴とする請求項１〜３の何れか１項に記載の間接活線工具。
【発明の詳細な説明】
【技術分野】
【０００１】
本発明は、間接活線工具に関し、特に、間接活線工法による高圧引下線縁線の切断、接続作業、及び引下用コネクタの取付け、取外しの作業に有効な間接活線工具に関する。
【背景技術】
【０００２】
従来、間接活線工法による高圧引下線縁線の切断、接続作業、及び引下線用コネクタの取付け、取外し等の作業においては、高圧引下線縁線の充電部を露出させることになるため、高圧引下線縁線が風等によって振れることにより地絡、短絡等の事故を起こすおそれがある。このため、各種の間接活線工具を用いて、地絡、短絡等事故の発生を防止する必要がある。
【０００３】
間接活線工具の例が特許文献１〜４に記載されている。特許文献１に記載の間接活線工具は、有底筒体のキャップ本体の開口端にラッパ状の挿入口を連設し、挿入口に長手方向を向く複数の切れ込みによる複数の分割片を形成したキャップ本体と、キャップ本体の外周側に摺動可能に設けられた筒状のスリーブとを備えたものである。
【０００４】
このような構成の間接活線工具によれば、高圧引下線縁線の先端部を挿入口からキャップ本体内に挿入させて、スリーブをキャップ本体の外周面を開口端の方向に摺動させて、複数の分割片で高圧引下線縁線を締め付けることにより、キャップ本体を高圧引下線縁線の先端部に固定することができ、キャップ本体で高圧引下線縁線の充電部を防護することができる。
【０００５】
また、特許文献２に記載の間接活線工具は、有底筒体の開口端にラッパ状の挿入口を連設したキャップ本体と、開閉自在な一対の把持部を有するクリップ状の把持部材とを備えたものであって、把持部材の一方の把持部をキャップ本体の有底筒体に固着させ、他方の把持部を有底筒体に設けた開口窓を通じて有底筒体の内部に突入可能に構成したものである。
【０００６】
このような構成の間接活線工具によれば、高圧引下線縁線の先端部を挿入口からキャップ本体内に挿入させ、把持部材の他方の把持部を開口窓を通じて有底筒体の内部に突入させることにより、高圧引下線縁線の先端部にキャップ本体を固定することができ、キャップ本体で高圧引下線縁線の充電部を防護することができる。
【０００７】
また、特許文献３に記載の間接活線工具は、電線支持物の腕金を把持することにより姿勢を保持するクリップと、クリップに紐を介して連結されるとともに、引下線の先端部を絶縁止めするキャップと、高圧引下線縁線の先端部を絶縁止めしたキャップを支持するクリップとを備えたものである。
【０００８】
このような構成の間接活線工具によれば、クリップにより電線支持物の腕金を挟み、この状態でキャップの内部に高圧引下線縁線の先端部を挿入して、クリップでキャップを挟み込むことにより、高圧引下線縁線の先端部の充電部を防護した状態で腕金に支持することができる。
【０００９】
また、特許文献４に記載の間接活線工具は、円筒状の絶縁棒と、絶縁棒の一端部に設けられた高圧線を把持するための高圧線把持部と、絶縁棒の他端部に設けられた高圧引下線縁線を把持するための絶縁把持部とを備えたものである。
【００１０】
このような構成の間接活線工具によれば、高圧線把持部で高圧線を把持し、絶縁把持部で高圧引下線縁線を把持し、この状態で高圧引下線縁線を切断することにより、切断した高圧引下線縁線を高圧線から離れた位置に保持することができる。
【先行技術文献】
【特許文献】
【００１１】
【特許文献１】特開平９−７４６３５号公報
【特許文献２】特開平９−６５５３０号公報
【特許文献３】特開２００７−２９５７２６号公報
【特許文献４】特開２０１１−１０５２７号公報
【発明の概要】
【発明が解決しようとする課題】
【００１２】
ところで、特許文献１〜３に記載の間接活線工具は、途中から切断した高圧引下線縁線の充電部の防護、及び引下線用コネクタを取外した状態の高圧引下線縁線の充電部の防護には適用できるが、引下線用コネクタを取付けたままの状態の高圧引下線縁線の充電部の防護には適用できない。また、特許文献１、２に記載の間接活線工具は、充電部を防護した状態の高圧引下線縁線を保持する手段を備えていないため、何らかの手段によって工事が完了するまでの間、高圧引下線縁線を保持しなければならない。さらに、特許文献４に記載の間接活線工具は、高圧引下線縁線の充電部を防護し、絶縁する機能を備えていないため、何らかの方法で防護し、絶縁するか、或いは、露出している充電部に接触しないように細心の注意を払う必要がある。
【００１３】
本発明は、上記のような従来の問題に鑑みなされたものであって、途中から切断した高圧引下線縁線の充電部、引下線用コネクタを取外した状態の高圧引下線縁線の充電部、及び引下線用コネクタを取付けたままの状態で高圧引下線縁線の充電部を防護し、絶縁することができるとともに、切断した高圧引下線縁線、及び取外した高圧引下線縁線を工事が完了するまでの間、保持し続けることができ、さらに、間接活線工法による各種の作業の効率を高めることができる、間接活線工具を提供することを目的とする。
【課題を解決するための手段】
【００１４】
上記のような課題を解決するために、本発明は、以下のような手段を採用している。
すなわち、本発明は、高圧線と引下用絶縁電線との間に接続される高圧引下線縁線の切断、接続作業、又は前記高圧引下線縁線を前記高圧線に接続する引下線用コネクタの取付け、取外し作業に用いられ、切断された前記高圧引下線縁線の充電部を防護し、絶縁する、又は、取外された前記引下線用コネクタ、及び前記引下線用コネクタが取外された前記高圧線の充電部を防護し、絶縁する間接活線工具であって、切断された前記高圧引下線縁線の一方の充電部を挿入可能な絶縁材からなるキャップ状の絶縁キャップと、切断された前記高圧引下線縁線の他方の充電部を挿入可能、又は取外された前記引下線用コネクタを収容可能な絶縁材からなる袋状の絶縁袋と、前記引下線用コネクタが取外された前記高圧線の充電部を被覆可能な絶縁材からなるシート状の絶縁カバーと、前記絶縁キャップ及び前記絶縁カバーが取付けられる絶縁材からなる第１クリップと、前記絶縁袋が取付けられる絶縁材からなる第２クリップと、前記第１クリップと前記第２クリップとを分離可能に連結する絶縁材からなる連結部材とを備え、前記第１クリップと前記第２クリップとを分離した状態で、前記第１クリップを前記高圧線に取付け、前記第２クリップを前記引下用絶縁電線に取付けることを特徴とする。
【００１５】
本発明の間接活線工具によれば、高圧引下線縁線の切断、接続の作業においては、切断された高圧引下線縁線の一方の充電部を絶縁キャップ内に挿入し、切断された高圧引下線縁線の他方の充電部を絶縁袋内に挿入することにより、切断された高圧引下線縁線の両充電部を防護し、絶縁することができる。また、この状態で、第１クリップを高圧線に取り付け、第２クリップを引下線用絶縁電線に取付けることにより、切断された高圧引下線縁線の一方の充電部を高圧線側に保持し、切断された高圧引下線縁線の他方の充電部を引下用絶縁電線に保持することができる。
また、引下線用コネクタの取付け、取外し作業においては、取外された引下線用コネクタを絶縁袋内に収容し、引下線用コネクタが取外された高圧線の充電部を絶縁カバーで被覆し、第１クリップを高圧線に取り付けることにより、引下線用コネクタが取付けられた状態で高圧引下線縁線の充電部を防護し、絶縁し、引下線用コネクタが取外された高圧線の充電部を防護し、絶縁することができる。また、この状態で、第２クリップを引下線用絶縁電線に取付けることにより、引下線用コネクタが取付けられた状態の高圧引下線縁線を引下用絶縁電線に保持することができる。
【００１６】
また、本発明において、前記絶縁キャップの内面には、挿入された前記高圧引下線縁線の抜けを防止するヒダが設けられている。
【００１７】
本発明の間接活線工具によれば、絶縁キャップの内面のヒダにより、絶縁キャップ内に挿入された高圧引下線縁線が絶縁キャップ内から抜けるのを防止することができ、切断された高圧引下線縁線の一方の充電部を防護し、絶縁した状態で高圧線側に保持し続けることができる。
【００１８】
また、本発明において、前記絶縁カバーの内面には、前記絶縁カバーが前記高圧線の充電部からずれるのを防止する滑り止め部と、前記絶縁カバーの垂れ下がり、及び広がりを防止する滑り止めが設けられている。
【００１９】
本発明の間接活線工具によれば、絶縁カバーの内面の滑り止め部により、絶縁カバーが高圧線上を移動するのを防止できる。また、絶縁カバーの内面の滑り止めにより、絶縁カバーの垂れ下がり、及び広がりを防止することができる。従って、引下線用コネクタが取外された高圧線の充電部を絶縁カバーで防護し、絶縁し続けることができる。
【００２０】
また、本発明において、前記絶縁カバーには、前記絶縁カバーを水平状態に保つ芯材が設けられている。
【００２１】
本発明の間接活線工具によれば、絶縁カバーの芯材により、絶縁カバーを水平状態に保つことができるので、絶縁カバーにより高圧線の充電部を被覆する作業を行う場合に、被覆する作業を効率よく行うことができる。
【発明の効果】
【００２２】
以上、説明したように、本発明の間接活線工具によれば、切断した高圧引下線縁線の充電部、引下線用コネクタを取外した状態の高圧引下線縁線の充電部、及び引下線用コネクタを取付けたままの状態で高圧引下線縁線の充電部を防護し、絶縁することができる。また、切断した高圧引下線縁線、及び取外した高圧引下線縁線を工事が完了するまでの間、保持し続けることができる。従って、間接活線工法による各種の作業の効率を高めることができる。
【図面の簡単な説明】
【００２３】
【図１】本発明による間接活線工具の一実施の形態を示した平面図であって、第１クリップと第２クリップとを連結した状態を示した説明図である。
【図２】図１の第１クリップと第２クリップとを分離した状態を示した説明図である。
【図３】図１のＡ矢視図である。
【図４】図１のＢ矢視図である。
【図５】絶縁キャップの断面図である。
【図６】絶縁カバーの断面図である。
【図７】図６のＣ矢視図である。
【図８】高圧引下線縁線の切断箇所を示した説明図である。
【図９】切断した高圧引下線縁線に間接活線工具を取付けた状態を示した説明図である。
【図１０】図９の間接活線工具の第１クリップと第２クリップとを分離し、第１クリップを高圧線に取付け、第２クリップを引下用絶縁電線に取付けた状態を示した説明図である。
【図１１】図１０のＡ部の拡大図である。
【図１２】図１０のＢ部の拡大図である。
【図１３】高圧引下線縁線の取外し箇所を示した説明図である。
【図１４】図１３の引下線用コネクタカバーを取外した状態を示した説明図である。
【図１５】図１４の引下線用コネクタを取外した状態を示した説明図である。
【図１６】第１クリップを高圧線に取付け、第２クリップを引下用絶縁電線に取付けた状態を示した説明図である。
【図１７】図１６のＡ部の拡大図である。
【図１８】図１６のＢ部の拡大図である。
【発明を実施するための形態】
【００２４】
以下、図面を参照しながら本発明の実施の形態について説明する。
図１〜図７には、本発明による間接活線工具の一実施の形態が示されている。本実施の形態の間接活線工具１は、図８〜図１８に示すように、間接活線工法による高圧引下線縁線２７の取付け、取外し工事において、高圧引下線縁線２７の切断、接続、引下線用コネクタ２８の取付け、取外し等の作業を行う場合に適用され、切断した高圧引下線縁線２７の充電部２７ｃ、又は高圧線２６から取外した高圧引下線縁線２７の充電部２７ｃを防護し、絶縁するのを有効なものである。
【００２５】
本実施の形態の間接活線工具１は、図１及び図２に示すように、第１クリップ２と、第２クリップ７と、第１クリップ２と第２クリップ７とを分離可能に連結する連結部材１５と、第１クリップ２に設けられる絶縁カバー１６と、第１クリップ２に設けられる絶縁キャップ２０と、第２クリップ７に設けられる絶縁袋２５とから構成されている。
【００２６】
第１クリップ２、第２クリップ７、及び連結部材１５は、合成樹脂等の絶縁材から形成され、絶縁カバー１６及び絶縁袋２５は、合成樹脂等の絶縁シートから形成され、絶縁キャップ２０は、合成樹脂、合成ゴム等の絶縁材から形成されている。
【００２７】
第１クリップ２は、図３に示すように、一対の帯板状のクリップ部材２ａ、２ｂをＸ状に交差させて、両クリップ部材２ａ、２ｂを交差部で連結軸３によって回動自在に連結したものであって、交差部の上方の部分で一対の柄４ａ、４ｂからなる柄部４が構成され、交差部の下方の部分で一対の挟み５ａ、５ｂからなる挟み部５が構成されている。
【００２８】
連結軸３の周囲には、挟み部５の両挟み５ａ、５ｂを閉じる方向に付勢し、柄部４の両柄４ａ、４ｂを開く方向に付勢するばね（図示せず）が設けられ、このばねの付勢力に抗して柄部４の両柄４ａ、４ｂを閉じる方向に回動させることにより、挟み部５の両挟み５ａ、５ｂを開く方向に回動させることができる。
【００２９】
挟み部５の両挟み５ａ、５ｂの内面側には、高圧線２６の充電部２６ａを防護し，絶縁するための絶縁カバー１６が取り付けられている。
絶縁カバー１６は、図６及び図７に示すように、長方形状の絶縁シートを二つ折りに折り曲げてＶ字状に形成したものであって、山折り線１６ａが水平方向を向くように、山折り線１６ａから一方の縁１６ｂまでの間が一方の挟み５ａの内面に接合され、山折り線１６ａから他方の縁１６ｃまでの間が他方の挟み５ｂの内面に接合されている。
【００３０】
挟み部５の両挟み５ａ、５ｂを閉じる方向又は開く方向に回動させることにより、絶縁カバー１６を山折り線１６ａを中心としてＶ字の間隔を狭める方向、又はＶ字の間隔を広げる方向に変形させることができる。
【００３１】
絶縁カバー１６の複数箇所には、山折り線１６ａと平行をなすように芯材１７が一体に設けられ、これらの芯材１７により、絶縁カバー１６を水平に保った状態でＶ字の間隔を狭める方向、又はＶ字の間隔を広げる方向に変形させることができる。
【００３２】
絶縁カバー１６の山折り線１６ａの内面側には、絶縁カバー１６の長手方向に所定の間隔ごとに複数の突起１８ａを一体に設けて構成した滑り止め部１８が設けられ、この滑り止め部１８の複数の突起１８ａを高圧線２６に接触させることにより、絶縁カバー１６が高圧線２６上で移動するのが防止される。突起１８ａは合成ゴム等の柔軟性を有する材料から形成される。
【００３３】
絶縁カバー１６の両縁１６ｂ、１６ｃの内面側には、絶縁カバー１６の全長に亘るように網目状の滑り止め１９ａ、１９ｂがそれぞれ設けられ、これらの滑り止め１９ａ、１９ｂを互いに接触させることにより、絶縁カバー１６の両縁１６ｂ、１６ｃが垂れ下がったり、広がったりするのを防止できる。
なお、滑り止め１９ａ、１９ｂの代わりに、フックとループとからなる面ファスナを用い、フックを一方の縁１６ｂの内面側に貼り付け、ループを他方の縁１６ｃの内面側に貼り付け、フックとループとを互いに係合させることにより、絶縁カバー１６の両縁１６ｂ、１６ｃが垂れ下がったり、広がったりするのを防止してもよい。
【００３４】
挟み部５の両挟み５ａ、５ｂの内面側の絶縁カバー１６よりも連結軸３寄りの部分には、途中から切断した高圧引下線縁線２７の充電部２７ｃ、又は高圧線２６から取り外し、引下用コネクタ２８を防護し，絶縁するための絶縁袋２５が取り付けられている。
【００３５】
絶縁キャップ２０は、図５に示すように、先端が閉塞されたテーパ筒状のテーパ部２１と、テーパ部２１の後端に連設された筒状のストレート部２２とから構成されるものであって、ストレート部２２の外面が挟み部５の両挟み５ａ、５ｂの内面側に取り付けられている。
【００３６】
絶縁キャップ２０のストレート部２２には、上下に長手方向を向く切れ目２２ａ、２２ｂがそれぞれ設けられ、これらの切れ目２２ａ、２２ｂによって絶縁キャップ２０のストレート部２２が左右に２つに分割されている。この左右に分割されたストレート部２２の左半部が一方の挟み５ａの内面に取り付けられ、右半部が他方の挟み５ｂの内面に取り付けられている。これにより、挟み部５の両挟み５ａ、５ｂを閉じる方向又は開く方向に回動させることにより、両挟み５ａ、５ｂに追従して絶縁キャップ２０のストレート部２２の両半部間を閉じる方向、又は両半部間を広げる方向に変形させることができる。
【００３７】
絶縁キャップ２０のテーパ部２１及びストレート部２２の内面には、絶縁キャップ２０の中心線を中心として左右に対称となるように、かつ、中心線に対して所定の角度で傾斜するように、複数のＣ形板状のヒダ２３が長手方向に所定の間隔ごとに設けられ、これらのヒダ２３によって絶縁キャップ２０の内部から高圧引下線縁線２７が抜け出るのが防止される。なお、ヒダ２３は、Ｃ形板状に限らず、高圧引下線縁線２７が抜け出るのを防止できる形状であればよい。
【００３８】
第２クリップ７は、図３に示すように、一対のクリップ部材７ａ、７ｂをＸ状に交差させて、両クリップ部材７ａ、７ｂを交差部で連結軸８によって回動自在に連結したものであって、交差部の下方の部分で一対の柄９ａ、９ｂから柄部９が構成され、交差部の上方の部分で一対の挟み１０ａ、１０ｂからなる挟み部１０が構成されている。
【００３９】
連結軸８の周囲には、挟み部１０の両挟み１０ａ、１０ｂを閉じる方向に付勢し、柄部９の両柄９ａ、９ｂを開く方向に付勢するばね（図示せず）が設けられ、このばねの付勢力に抗して柄部９の両柄９ａ、９ｂを閉じる方向に回動させることにより、挟み部１０の両挟み１０ａ、１０ｂを開く方向に回動させることができる。
【００４０】
挟み部１０の両挟み１０ａ、１０ｂの内面側の連結軸８寄りの部分には、袋状に形成した絶縁袋２５の口部２５ａが適宜の手段によって固定され、挟み部１０の両挟み１０ａ、１０ｂを閉じる方向又は開く方向に回動させることにより、絶縁袋２５の口部２５ａを閉じる方向、又は広がる方向に変形させることができる。絶縁袋２５は、高圧引下線縁線２７を高圧線２６に取り付ける引下線用コネクタ２８を挿入可能な大きさに形成されている。
【００４１】
挟み部１０の両挟み１０ａ、１０ｂの内面側の先端側、及び連結軸８寄りの部分には、内面が凹面１２ａ、１３ａに形成された電線支持部１２、１３が設けられ、これらの電線支持部１２、１３によって高圧引下線縁線２７が挟持されるようになっている。
【００４２】
第１クリップ２の挟み部５の一方の挟み５ａの先端には連結孔６が設けられるとともに、第２クリップ７の挟み部１０の一方の挟み１０ａには連結孔１１が設けられ、両連結孔６、１１間に丸棒状の連結部材１５が着脱可能に取り付けられている。なお、連結部材１５の一端を一方の連結孔６又は１１に固定し、他端を他方の連結孔１１又は６に着脱可能に構成してもよい。
【００４３】
次に、上記のように構成した本実施の形態の間接活線工具の使用方法について説明する。
（１）高圧引下線縁線の切断施工
図８に示すように、間接活線工法による高圧引下線縁線２７の取付け、取外しの工事において、高圧引下線縁線２７を切断、接続する場合には、図９に示すように、間接活線工具１の第１クリップ２と第２クリップ７とを連結部材１５で連結し、この状態で、切断した高圧引下線縁線２７の高圧線２６側の縁線２７ａの充電部２７ｃを第１クリップ２の絶縁キャップ２０内に挿入し、変圧器側の縁線２７ｂの充電部２７ｃを第２クリップ７の絶縁袋２５内に挿入する。
【００４４】
次に、図１０〜図１２に示すように、第１クリップ２と第２クリップ７とを分離し、絶縁ヤットコ３２を用いて第１クリップ２の柄部４の両柄４ａ、４ｂを挟み、両柄４ａ、４ｂを閉じる方向に回動させることにより、挟み部５の両挟み５ａ、５ｂを広げる方向に回動させ、絶縁カバー１６をＶ字を広げる方向に変形させ、この状態で絶縁カバー１６を高圧線２６に被せる。そして、絶縁ヤットコ３２を柄部４から外すことにより、第１クリップ２の挟み部５の両挟み５ａ、５ｂを閉じる方向に回動させ、絶縁カバー１６をＶ字を閉じる方向に変形させることにより、絶縁カバー１６で高圧線２６を防護し、絶縁するとともに、第１クリップ２の挟み部５の両挟み５ａ、５ｂ間で高圧線２６を挟み込む。これにより、第１クリップ２の絶縁キャップ１６内に高圧線２６側の縁線２７ａの充電部２７ｃを挿入した状態で、その縁線２７ａを高圧線２６側に保持することができる。
【００４５】
次に、絶縁ヤットコ３２を用いて第２クリップ７の柄部９の両柄９ａ、９ｂを挟み、両柄９ａ、９ｂを閉じる方向に回動させることにより、挟み部１０の両挟み１０ａ、１０ｂを広げる方向に回動させ、この状態で両挟み１０ａ、１０ｂ間に引下用絶縁電線３１を挿通させ、絶縁ヤットコ３２を柄部９から外すことにより、第２クリップ７の挟み部１０の両挟み１０ａ、１０ｂを閉じる方向に回動させ、第２クリップ７の挟み部１０の両挟み１０ａ、１０ｂ間で引下用絶縁電線３１を挟み込む。これにより、第２クリップ７の絶縁袋２５内に変圧器側の縁線２７ｂの充電部２７ｃを挿入した状態で、その縁線２７ｂを引下用絶縁電線３１側に保持することができる。
【００４６】
そして、この状態で各種の作業を行い、作業の終了後に高圧線２６側から第１クリップ２を取り外し、引下用絶縁電線３１側から第２クリップ７を取り外し、第１クリップ２の絶縁キャップ２０内から高圧線２６側の縁線２７ａを引き抜き、第２クリップ７の絶縁袋２５内から変圧器側の縁線２７ｂを引き抜き、両縁線２７ａ、２７ｂの充電部２７ｃをスリーブ（図示せず）によって接合し、適宜の絶縁処理を施すことにより、高圧引下線縁線２７の切断した縁線２７ａ、２７ｂの充電部２７ｃ同士を接続する。
【００４７】
（２）引下線用コネクタの取外し
図１３に示すように、間接活線工法による高圧引下線縁線２７の取付け、取外しの工事において、高圧引下線縁線２７を引下線用コネクタ２８を取り外すことにより、高圧線２６から取外す場合には、まず、図１４に示すように、高圧線２６から引下線用コネクタカバー３０を取外して引下線用コネクタ２８を露出させる。そして、図１５に示すように、引下線用コネクタ２８のねじ２９を緩めることにより、引下線用コネクタ２８を高圧線２６から取外し、高圧線２６の充電部２６ａを露出させる。
【００４８】
次に、図１６〜図１８に示すように、間接活線工具の第１クリップ２と第２クリップ７とを分離し、絶縁ヤットコ３２を用いて第１クリップ２の柄部４の両柄４ａ、４ｂを挟み、両柄４ａ、４ｂを閉じる方向に回動させることにより、挟み部５の両挟み５ａ、５ｂを広げる方向に回動させ、絶縁カバー１６をＶ字を広げる方向に変形させ、この状態で絶縁カバー１６を高圧線２６の充電部２６ａに被せる。そして、絶縁ヤットコ３２を柄部４から外すことにより、第１クリップ２の挟み部５の両挟み５ａ、５ｂを閉じる方向に回動させて、絶縁カバー１６をＶ字を閉じる方向に変形させることにより、絶縁カバー１６で高圧線２６の充電部２６ａを防護し、絶縁し、この状態で第１クリップ２の挟み部５の両挟み５ａ、５ｂ間で高圧線２６を挟み込む。
【００４９】
次に、絶縁ヤットコ３２を用いて第２クリップ７の柄部９の両柄９ａ、９ｂを挟み、両柄９ａ、９ｂを閉じる方向に回動させることにより、挟み部１０の両挟み１０ａ、１０ｂを広げる方向に回動させ、絶縁袋２５の口部２５ａを広げる。そして、この絶縁袋２５内に口部２５ａから、引下線用コネクタ２８が取付けられた状態の高圧引下線縁線２７を挿入し、第２クリップ７の挟み部１０の両挟み１０ａ、１０ｂ間に引下用絶縁電線３１を挿通させ、絶縁ヤットコ３２を柄部９から外すことにより、第２クリップ７の挟み部１０の両挟み１０ａ、１０ｂを閉じる方向に回動させて、絶縁袋２５の口部２５ａを閉じる方向に変形させることにより、絶縁袋２５内に高圧引下線縁線２７を挿入した状態に保持するとともに、挟み部１０の両挟み１０ａ、１０ｂ間で引下用絶縁電線３１を挟み込む。これにより、第２クリップ７の絶縁袋２５内に、引下線用コネクタ２８を取付けた高圧引下線縁線２７を挿入し、この状態で高圧引下線縁線２７を引下用絶縁電線３１に保持することができる。
【００５０】
そして、この状態で各種の作業を行い、作業の終了後に引下用絶縁電線３１から第２クリップ７を取り外し、第２クリップ７の絶縁袋２５から高圧引下線縁線２７を引き抜き、第１クリップ２を高圧線２６から取り外し、高圧引下線縁線２７の引下線用コネクタ２８を高圧線２６の充電部２６ａに取付け、高圧引下線縁線２７を高圧線２６に取付、引下線用コネクタ２８の周囲を防護し、絶縁するための引下線用コネクタカバー３０を取付ける。
【００５１】
上記のように構成した本実施の形態の間接活線工具１にあっては、間接活線工法による高圧引下線縁線２７の取付け、取外しの工事において、高圧引下線縁線２７の切断、接続、引下線用コネクタ２８の取付け、取外しの作業を行う場合に、切断した高圧引下線縁線２７の一方、他方の縁線２７ａ、２７ｂの充電部２７ｃを防護し、絶縁した状態で高圧線２６側又は引下用絶縁電線３１側に保持することができる。また、引下線用コネクタ２８を取付けたままの状態で高圧引下線縁線２７の充電部２７ｃを防護し、絶縁することができるとともに、高圧線２６から取外した高圧引下線縁線２７を引下用絶縁電線３１に保持することができる。さらに、引下線用コネクタ２８を取外し、露出した状態の高圧線２６の充電部２６ａを防護し、絶縁することができる。
【００５２】
従って、本実施の形態の間接活線工具１を用いることにより、間接活線工法による各種の作業を効率よく行うことができ、各種の作業の効率を高めることができる。
【００５３】
また、絶縁キャップ２０には、複数のヒダ２３が設けられ、絶縁袋２５の口部２５ａは第２クリップ７の挟み部１０で閉じられているので、切断した高圧引下線縁線２７の一方、他方の縁線２７ａ、２７ｂの充電部２７ｃが絶縁キャップ２０及び絶縁袋２５から抜け出ることはなく、また、引下線用コネクタ２８を取付けた状態の高圧引下線縁線２７の充電部２７ｃが絶縁袋２５から抜け出ることはない。また、絶縁カバー１６の内面には、複数の突起１８ａからなる滑り止め部１８が設けられ、絶縁カバー１６の両縁１６ｂ、１６ｃの内面には、滑り止め１９ａ、１９ｂが設けられているので、高圧線２６の充電部２６ａを防護している絶縁カバー１６が充電部２６ａから移動して充電部２６ａが露出するようなことはなく、また、絶縁カバー１６が垂れ下がったり、絶縁カバー１６の両縁１６ｂ、１６ｃが広がったりするようなことはない。従って、各種の作業における地絡、短絡事故の発生を防止することができ、作業者の安全を確保することができる
【００５４】
なお、前記の説明においては、第１クリップ２で高圧線２６を挟み込むことにより、第１クリップ２を高圧線２６に保持したが、第１クリップ２にフックを設けて、フックを高圧線２６に引っ掛けることにより、第１クリップ２を高圧線２６に保持するように構成してもよい。
【００５５】
また、第２クリップ７で引下用絶縁電線３１を挟み込むことにより、第２クリップ７を引下用絶縁電線３１に保持したが、第２クリップ７にフックを設けて、フックを引下用絶縁電線３１に引っ掛けることにより、第２クリップ７を引下用絶縁電線３１に保持するように構成してもよい。
【００５６】
また、色分けした複数種類（例えば、赤、白、青の３種類）の間接活線工具１を用意しておくことにより、相ごとに異なる色の間接活線工具を用いることができ、相を間違えて高圧引下線縁線を接続するのを防止できる。
【符号の説明】
【００５７】
１  間接活線工具
２  第１クリップ
２ａ、２ｂ  クリップ部材
３  連結軸
４  柄部
４ａ、４ｂ  柄
５  挟み部
５ａ、５ｂ  挟み
６  連結孔
７  第２クリップ
７ａ、７ｂ  クリップ部材
８  連結軸
９  柄部
９ａ、９ｂ  柄
１０  挟み部
１０ａ、１０ｂ  挟み
１１  連結孔
１２  電線支持部
１２ａ  凹面
１３  電線支持部
１３ａ  凹面
１５  連結部材
１６  絶縁カバー
１６ａ  山折り線
１６ｂ  一方の縁
１６ｃ  他方の縁
１７  芯材
１８  滑り止め部
１８ａ  突起
１９ａ、１９ｂ  滑り止め
２０  絶縁キャップ
２１  テーパ部
２２  ストレート部
２２ａ  切れ目
２２ｂ  切れ目
２３  ヒダ
２５  絶縁袋
２５ａ  口部
２６  高圧線
２６ａ  充電部
２７  高圧引下線縁線
２７ａ  一方の縁線
２７ｂ  他方の縁線
２７ｃ  充電部
２８  引下線用コネクタ
２９  ねじ
３０  引下線用コネクタカバー
３１  引下用絶縁電線
３２  絶縁ヤットコ
【要約】
【課題】  切断した高圧引下線縁線の充電部、取外した引下線用コネクタ、引下線用コネクタを取外した高圧線の充電部を防護し、絶縁する。
【解決手段】  切断された高圧引下線縁線２７の一方の充電部２７ｃを挿入可能な絶縁材からなるキャップ状の絶縁キャップ２０と、切断された高圧引下線縁線２７の他方の充電部２７ｃを挿入可能、又は取外された引下線用コネクタ２８を収容可能な絶縁材からなる袋状の絶縁袋２５と、引下線用コネクタ２８が取外された高圧線の充電部を被覆可能な絶縁材からなるシート状の絶縁カバー１６と、絶縁キャップ２０及び絶縁カバー１６が取付けられる絶縁材からなる第１クリップ２と、絶縁袋２５が取付けられる絶縁材からなる第２クリップ７と、第１クリップ２と前記クリップ７とを分離可能に連結する絶縁材からなる連結部材１５とを備え、第１クリップ２と第２クリップ７とを分離した状態で、第１クリップ２を高圧線に取付け、第２クリップ７を引下用絶縁電線に取付ける。
【選択図】  図１【図１】
0005461661.tif 000002
【図２】
0005461661.tif 000003
【図３】
0005461661.tif 000004
【図４】
0005461661.tif 000005
【図５】
0005461661.tif 000006
【図６】
0005461661.tif 000007
【図７】
0005461661.tif 000008
【図８】
0005461661.tif 000009
【図９】
0005461661.tif 000010
【図１０】
0005461661.tif 000011
【図１１】
0005461661.tif 000012
【図１２】
0005461661.tif 000013
【図１３】
0005461661.tif 000014
【図１４】
0005461661.tif 000015
【図１５】
0005461661.tif 000016
【図１６】
0005461661.tif 000017
【図１７】
0005461661.tif 000018
【図１８】
0005461661.tif 000019